(57)【要約】【課題】  容易に且つ新たな機器を設けること無く通報装置にシステムデータを登録することができる。【解決手段】  バーコードに変換されたシステムデータが携帯端末２の画面上に表示され、設置場所を監視するために当該設置場所を撮影するカメラ３によって画像データとしてバーコードが撮影され、撮影された画像データを通報装置１の画像受信部１１にて受信すると、受信された画像データがバーコードデコード部１２においてシステムデータにデコードされ、デコードされたシステムデータがメモリ１３に登録される。【選択図】図１
2006268261.tif 000002
【特許請求の範囲】
【請求項１】
設置場所の監視状況を通報する通報装置にシステムデータを登録するシステムデータ登録システムであって、
前記通報装置の設置場所を撮影することにより監視するとともに、バーコードに変換されたシステムデータを撮影する撮影手段を有し、
前記通報装置は、前記撮影手段によって撮影されたバーコードの画像データを受信し、該画像データをシステムデータにデコードし、該システムデータを登録するシステムデータ登録システム。
【請求項２】
請求項１に記載されたシステムデータ登録システムにおいて、
前記バーコードに変換されたシステムデータを画面上に表示する端末を有し、
前記撮影手段は、前記端末の画面上に表示されたバーコードを撮影することを特徴とするシステムデータ登録システム。
【請求項３】
請求項１または請求項２に記載のシステムデータ登録システムにおいて、
前記通報装置は、
前記撮影手段によって撮影されたバーコードの画像データを受信する画像受信手段と、
前記画像受信手段にて受信された画像データをシステムデータにデコードする指示を行うバーコード処理指示手段と、
前記バーコード処理指示手段にてデコードの指示をされた画像データをシステムデータにデコードするバーコードデコード手段と、
前記バーコードデコード手段によってデコードされたシステムデータが登録されるメモリとを有することを特徴とするシステムデータ登録システム。
【請求項４】
請求項１乃至３のいずれか１項に記載のシステムデータ登録システムにおいて、
前記バーコードが二次元コードであることを特徴とするシステムデータ登録システム。
【請求項５】
設置場所を撮影することにより当該設置場所を監視するとともに、バーコードに変換されたシステムデータを撮影する撮影手段に接続され、前記設置場所の監視状況を前記システムデータに基づいて通報する通報装置であって、
前記撮影手段によって撮影されたバーコードの画像データを受信する画像受信手段と、
前記画像受信手段にて受信された画像データをシステムデータにデコードする指示を行うバーコード処理指示手段と、
前記バーコード処理指示手段にてデコードの指示をされた画像データをシステムデータにデコードするバーコードデコード手段と、
前記バーコードデコード手段によってデコードされたシステムデータが登録されるメモリとを有する通報装置。
【請求項６】
請求項５に記載の通報装置において、
前記バーコードが二次元コードであることを特徴とする通報装置。
【請求項７】
設置場所の監視状況を通報する通報装置にシステムデータを登録するシステムデータ登録方法であって、
前記通報装置の設置場所を撮影することにより当該設置場所を監視する撮影手段にてバーコードに変換されたシステムデータを撮影して前記通報装置に送信する処理と、
送信されたバーコードの画像データを通報装置にて受信する処理と、
前記画像データのシステムデータへのデコードを指示する処理と、
前記画像データをシステムデータにデコードする処理と、
前記システムデータを登録する処理とを有するシステムデータ登録方法。
【発明の詳細な説明】
【技術分野】
【０００１】
本発明は、所定の場所をセンサ等によって監視してその監視状況を通報する通報装置にシステムデータを登録するシステムデータ登録システム、通報装置及びシステムデータ登録方法に関する。
【背景技術】
【０００２】
従来より、所定の場所を監視し、その監視状況を通報する通報装置においては、その監視状況を通報する通報方法や通報先等をシステムデータとして予め登録しておく必要があり、そのシステムデータについては、通報装置本体にテンキー等の入力手段を設けてその入力手段を用いて登録したり、登録するための専用の外部装置を接続してその外部装置を用いて登録したりしている。
【０００３】
図６は、通報装置にシステムデータを登録する従来のシステムデータ登録システムを示す図である。
【０００４】
図６に示すように従来のシステムデータ登録システムは、所定の場所を監視して監視状況を通報する通報装置１００１と、通報装置１００１と接続され、通報装置１００１にシステムデータを登録するための手段である専用設定器１００２とから構成されている。さらに、通報装置１００１には、システムデータを登録するための入力手段である入力部１０１２と、入力部１０１２にて入力される入力状況を表示する表示部１０１１とが設けられている。また、専用設定器１００２には、システムデータを通報装置１００１に登録するための入力手段である入力部１０２２と、入力部１０２２にて入力される入力状況を表示する表示部１０２１とが設けられている。通報装置１００１にシステムデータを登録するには、入力部１０２１からシステムデータを入力するか、または、通報装置１００１にシステムデータ登録専用の専用設定器１００２を接続し、接続された専用設定器１００２の入力部１０２２からシステムデータを入力する方法が取られている。
【０００５】
また、データを入力する手間を省くために、所定のデータをバーコードに変換し、そのバーコードを携帯端末等の画面上に表示させ、表示されたバーコードを上位装置が読み取ることにより、上位装置にて所定のデータを取得する方法が考えられている（例えば、特許文献１〜３参照。）。
【特許文献１】特開２００１−１８８８４６号公報
【特許文献２】特開２００２−３４４４４４号公報
【特許文献３】特開２００４−１７８２９５号公報
【発明の開示】
【発明が解決しようとする課題】
【０００６】
しかしながら、上述したようなシステムデータ登録システムにおいては、通報装置本体にテンキー等の入力手段を設けたり、システムデータを登録するための専用の外部装置を接続したりしなければならないという問題点がある。また、その登録方法を熟知した者や、その外部装置を所持している者が、通報装置の設置された場所に、システムデータが登録される都度出向かなければならないという問題点がある。
【０００７】
また、別の場所において編集されたシステムデータを一括ダウンロードするのに時間がかかってしまったり、複数の通報装置にシステムデータを登録する場合は、その都度同じ操作を繰り返さなければならないという問題点がある。
【０００８】
また、特許文献１〜３に記載された方法においては、読み取られたデータに基づいて商品やサービスの販売を行う販売方法となっており、所定の場所を監視してその監視状況を通報する通報システムや通報装置には適用されていない。さらに、バーコードリーダ等のバーコードを読み取る手段が新たに必要となってしまうという問題点がある。
【０００９】
本発明は、上述したような従来の技術が有する問題点を鑑みてなされたものであって、容易に且つ新たな機器を設けること無く通報装置にシステムデータを登録することができるシステムデータ登録システム、通報装置及びシステムデータ登録方法を提供することを目的とする。
【課題を解決するための手段】
【００１０】
上記目的を達成するために本発明は、
設置場所の監視状況を通報する通報装置にシステムデータを登録するシステムデータ登録システムであって、
前記通報装置の設置場所を撮影することにより監視するとともに、バーコードに変換されたシステムデータを撮影する撮影手段を有し、
前記通報装置は、前記撮影手段によって撮影されたバーコードの画像データを受信し、該画像データをシステムデータにデコードし、該システムデータを登録する。
【００１１】
また、前記バーコードに変換されたシステムデータを画面上に表示する端末を有し、
前記撮影手段は、前記端末の画面上に表示されたバーコードを撮影することを特徴とする。
【００１２】
また、前記通報装置は、
前記撮影手段によって撮影されたバーコードの画像データを受信する画像受信手段と、
前記画像受信手段にて受信された画像データをシステムデータにデコードする指示を行うバーコード処理指示手段と、
前記バーコード処理指示手段にてデコードの指示をされた画像データをシステムデータにデコードするバーコードデコード手段と、
前記バーコードデコード手段によってデコードされたシステムデータが登録されるメモリとを有することを特徴とする。
【００１３】
また、前記バーコードが二次元コードであることを特徴とする。
【００１４】
また、設置場所を撮影することにより当該設置場所を監視するとともに、バーコードに変換されたシステムデータを撮影する撮影手段に接続され、前記設置場所の監視状況を前記システムデータに基づいて通報する通報装置であって、
前記撮影手段によって撮影されたバーコードの画像データを受信する画像受信手段と、
前記画像受信手段にて受信された画像データをシステムデータにデコードする指示を行うバーコード処理指示手段と、
前記バーコード処理指示手段にてデコードの指示をされた画像データをシステムデータにデコードするバーコードデコード手段と、
前記バーコードデコード手段によってデコードされたシステムデータが登録されるメモリとを有する。
【００１５】
また、前記バーコードが二次元コードであることを特徴とする。
【００１６】
また、設置場所の監視状況を通報する通報装置にシステムデータを登録するシステムデータ登録方法であって、
前記通報装置の設置場所を撮影することにより当該設置場所を監視する撮影手段にてバーコードに変換されたシステムデータを撮影して前記通報装置に送信する処理と、
送信されたバーコードの画像データを通報装置にて受信する処理と、
前記画像データのシステムデータへのデコードを指示する処理と、
前記画像データをシステムデータにデコードする処理と、
前記システムデータを登録する処理とを有する。
【００１７】
上記のように構成された本発明においては、バーコードに変換されたシステムデータが端末の画面上に表示され、設置場所を監視するために当該場所を撮影する撮影手段によってバーコードが撮影され、撮影されたバーコードの画像データを通報装置にて受信すると、受信された画像データがシステムデータにデコードされて登録される。
【００１８】
このように、携帯電話等の端末の画面上に表示されたバーコードを撮影するだけで、通報装置のシステムデータを登録することができる。そのため、入力手段や専用の設定機器の設置が不要となり、それに関わるコストの低減を図ることができる。また、設置場所を監視する撮影手段によってバーコードを撮影するため、バーコードを読み取るための専用の読み取り手段を新たに設ける必要が無くなる。さらに、複雑な入力作業が不要となるため、第三者や登録作業を熟知していない者でもシステムデータの登録が可能となる。また、システムデータがバーコードに変換されて表示されるため、セキュリティの面からも安全性が確保される。
【発明の効果】
【００１９】
以上説明したように本発明においては、バーコードに変換されたシステムデータが端末の画面上に表示され、設置場所を監視するために当該場所を撮影する撮影手段によってバーコードが撮影され、撮影されたバーコードの画像データを通報装置にて受信すると、受信された画像データがシステムデータにデコードされて登録される構成としたため、容易に且つ新たな機器を設けること無く通報装置にシステムデータを登録することができる。
【発明を実施するための最良の形態】
【００２０】
以下に、本発明の実施の形態について図面を参照して説明する。
【００２１】
図１は、本発明のシステムデータ登録システムの実施の一形態を示す図である。
【００２２】
本形態は図１に示すように、システムデータ登録の作業を行う作業者が所持する端末である携帯端末２と、携帯端末２の画面上に表示されたシステムデータを示すバーコード及び所定の監視すべき場所を画像データとして撮影する撮影手段であるカメラ３と、カメラ３によって撮影された画像データを処理し、システムデータを登録し、また、監視された監視状況を送信する通報装置１と、通報装置１によって送信された監視状況を公衆網４を介して受信するセンタ装置５とから構成されている。さらに、通報装置１は、カメラ３によって撮影された画像データを受信する画像受信部１１と、画像受信部１１にて受信された画像データがシステムデータを示すバーコードである場合、当該画像データをシステムデータにデコードするバーコードデコード部１２と、画像受信部１１にて受信された画像データ及びバーコードデコード部１２にてデコードされたシステムデータ等を記憶するメモリ１３と、通報装置１が設置された場所での異常を感知するセンサ１４と、通報装置１の動作モードを切り替えるモード切替部１５と、画像受信部１１に対して画像受信部１１にて受信された画像データについてバーコードデコード部１２への転送を指示するバーコード処理指示部１６と、メモリ１３に記憶された画像データを公衆網４を介してセンタ装置５に送信する回線接続部１７と、登録されたシステムデータを表示する表示部１８と、これらを制御する制御部１９とから構成されている。さらに、センサ１４には、赤外線により侵入者等を感知する赤外線センサ２１と、火災等によって発生する煙を感知する煙センサ２２と、非常の場合に人に押されて非常を感知する非常ボタン２３とが設けられている。
【００２３】
以下に、図１に示したシステムデータ登録システムにおけるシステムデータ登録方法について説明する。
【００２４】
図２は、図１に示したシステムデータ登録システムにおけるシステムデータ登録方法を説明するためのシーケンス図である。
【００２５】
携帯端末２にて、システムデータに基づいたバーコードの受信または作成を予め行っておく（ステップＳ１）。ここで受信とは、他のパソコン等の装置において、当該システムデータが入力され、入力されたシステムデータが当該パソコンが有するアプリケーションを用いてバーコードに変換されて電子メールの添付ファイル等として送信されたもの、または、ケーブル接続等によりダウンロードされたものを携帯端末２にて受信することであり、また、作成とは、携帯端末２において、システムデータが入力され、入力されたシステムデータが携帯端末２が有するアプリケーションを用いてバーコードに変換されて携帯端末２内に保存されることである。そして、ステップＳ１にて受信または作成されたバーコードが携帯端末２の画面上に表示される（ステップＳ２）。
【００２６】
一方、通報装置１において、モード切替部１５から制御部１９に対して、システムデータ設定モードへのモード切替が要求されると（ステップＳ３）、制御部１９にて動作モードがシステムデータ設定モードに切り替えられる（ステップＳ４）。
【００２７】
その後、バーコード処理指示部１６から制御部１９へバーコードの処理の指示が行われると（ステップＳ５）、制御部１９から画像受信部１１へバーコード転送要求が送信される（ステップＳ６）。
【００２８】
そして、カメラ３によって、バーコードが表示された携帯端末２の画面が撮影されると（ステップＳ７）、カメラ３によって撮影された画像データがカメラ３から画像受信部１１に送信され、画像受信部１１にて画像データが受信される（ステップＳ８）。
【００２９】
画像データが受信された画像受信部１１では、ステップＳ６にて制御部１９からバーコード転送が要求されているため、受信された画像データはバーコードであると認識され、バーコードデコード部１２に転送される（ステップＳ９）。
【００３０】
バーコードデコード部１２にて受信されたバーコードは、バーコードデコード部１２によってシステムデータにデコードされ（ステップＳ１０）、デコードされて得られたシステムデータがメモリ１３へ転送され（ステップＳ１１）、転送されたシステムデータが制御部１９によってメモリ１３内に登録される（ステップＳ１２）。
【００３１】
制御部１９にて、システムデータがメモリ１３に登録されると、表示部１８によって、登録された旨が表示される（ステップＳ１３）。なお、ここでの表示については、通報装置１に表示画面が設けられ、メモリ１３に登録されたシステムデータが表示画面上に表示され、システムデータ登録の作業を行う作業者によって確認されるものであっても良いし、メモリ１３にシステムデータが正常に登録された旨を表示するＬＥＤ等が設けられ、システムデータが正常に登録された際にそのＬＥＤを点灯させるものであっても良い。また、他の手段であっても、メモリ１３にシステムデータが登録されたことを作業者が確認できるものであれば良い。
【００３２】
その後、モード切替部１５から制御部１９に対して、通常運用モードへのモード切替が要求されると（ステップＳ１４）、制御部１９にて動作モードが通常運用モードに切り替えられ（ステップＳ１５）、通報装置１において通報装置１の設置場所の監視処理が行われる。
【００３３】
次に、図１に示した携帯端末２の画面上に表示されたバーコードが示すシステムデータの構成について説明する。
【００３４】
図３は、図１に示した携帯端末２の画面上に表示されたバーコードが示すシステムデータの第１の構成例を示す図である。
【００３５】
図３に示すように、バーコードにはそれぞれ通報装置ごとに予め規定された桁数により決められた位置に設定項目が示されている。
【００３６】
１桁目から所定の桁目までは、設定されるシステムデータの始まりを表す情報が示されている。
【００３７】
Ａ桁目から所定の桁目までは、１つ目のセンサ１４によって異常が感知された場合の通報データが示されている。
【００３８】
最初に、センサ１４の種類を示すセンサ番号（１）には赤外線センサ２１を表す「０」が示されており、続いて、センサ１４によって何らかの異常が感知された際に、カメラ３の連動があるかどうかが示されるカメラ連動有／無情報には、連動有りを表す「１」が示されている。引き続き、センサ１４によって何らかの異常が感知された際に、通報するかどうかが示される通報有／無情報には、通報有りを表す「１」が示されている。さらに続けて、その通報先の電話番号、通報先の電話番号に電話をかけても通報先の相手が出ない場合に何回リダイヤルするかのリダイヤル回数、また、当該リダイヤル回数だけリダイヤルしても通報先の相手が出ない場合に次に通知する第２の通知先の電話番号が示されている。
【００３９】
次に、Ｂ桁目から所定の桁目までは、２つ目のセンサ１４によって異常が感知された場合の通報データが示されている。
【００４０】
最初に、センサ１４の種類を示すセンサ番号（２）には煙センサ２２を表す「１」が示されており、続いて、センサ１４によって何らかの異常が感知された際に、カメラ３の連動があるかどうかが示されるカメラ連動有／無情報には、連動無しを表す「０」が示されている。引き続き、センサ１４によって何らかの異常が感知された際に、通報するかどうかが示される通報有／無情報には、通報有りを表す「１」が示されている。さらに続けて、その通報先の電話番号、通報先の電話番号に電話をかけても通報先の相手が出ない場合に何回リダイヤルするかのリダイヤル回数、また、当該リダイヤル回数だけリダイヤルしても通報先の相手が出ない場合に次に通知する第２の通知先の電話番号が示されている。
【００４１】
さらに、Ｃ桁目から所定の桁目までは、３つ目のセンサ１４によって異常が感知された場合の通報データが示されている。
【００４２】
最初に、センサ１４の種類を示すセンサ番号（３）には非常ボタン２３を表す「２」が示されており、続いて、センサ１４によって何らかの異常が感知された際に、カメラ３の連動があるかどうかが示されるカメラ連動有／無情報には、連動有りを表す「１」が示されている。引き続き、センサ１４によって何らかの異常が感知された際に、通報するかどうかが示される通報有／無情報には、通報有りを表す「１」が示されている。さらに続けて、その通報先の電話番号、通報先の電話番号に電話をかけても通報先の相手が出ない場合に何回リダイヤルするかのリダイヤル回数、また、当該リダイヤル回数だけリダイヤルしても通報先の相手が出ない場合に次に通知する第２の通知先の電話番号が示されている。
【００４３】
上述したように、複数のセンサ１４についての通報データが示されている。
【００４４】
そして、Ｙ桁目から所定の桁目までは、通報装置１を特定するための端末ＩＤ番号が示されている。
【００４５】
さらに、Ｚ桁目から所定の桁目までは、設定されるシステムデータの終わりを表す情報が示されている。
【００４６】
以上のようにバーコードに示されたシステムデータが、図３に示した構成でメモリ１３に登録される。
【００４７】
図４は、図１に示した携帯端末２の画面上に表示されたバーコードが示すシステムデータの第２の構成例を示す図である。
【００４８】
図４に示すように、バーコードにはそれぞれ通報装置ごとに予め規定された文字列と組み合わせてそれぞれの設定値が示されている。
【００４９】
まず、１桁目から、設定されるシステムデータの始まりを表す情報が示されている。次に、Ａという文字列が示されると、そのＡという文字列の直後の値から通報先の電話番号が示される。同様にＢという文字列が示されると、そのＢという文字列の直後の値から通報装置１を特定するための端末ＩＤ番号が示される。
【００５０】
以上のようにバーコードに示されたシステムデータが、図４に示した構成でメモリ１３に登録される。
【００５１】
以下に、図１に示したシステムデータ登録システムにおいて図３に示したシステムデータが登録された後の通報装置１の処理について説明する。
【００５２】
図５は、図１に示したシステムデータ登録システムにおいて図３に示したシステムデータが登録された後の通報装置１の処理を説明するためのシーケンス図である。なお、ここでは、赤外線センサ２１によって、侵入者を感知した場合の処理を説明する。また、図３に示すように赤外線センサ２１を使用する場合のシステムデータには、カメラ３との連動有りに登録されており、また、通報有りに登録されている。
【００５３】
まず、赤外線センサ２１によって侵入者が感知されると（ステップＳ２１）、制御部１９にて赤外線センサ２１によって何らかの異常が感知されたことが認識され、メモリ１３に登録されているシステムデータが確認される（ステップＳ２２）。赤外線センサ２１による検出のため、制御部１９によってメモリ１３に登録されているシステムデータのうちセンサ番号が「０」であるデータが読み出される。そして、センサ番号が「０」である通報データについて、カメラ連動有／無情報がカメラ連動有りに登録されているため、制御部１９によって画像受信部１１に対して画像データの転送要求が出力される（ステップＳ２３）。また、通報有／無情報が通報有りに登録されているため、制御部１９によって動作モードが通報モードに設定される（ステップＳ２４）。
【００５４】
一方、カメラ３によって、通報装置１が設置された場所の撮影が行われており（ステップＳ２５）、カメラ３によって撮影された画像データは画像受信部１１にて受信される（ステップＳ２６）。画像受信部１１にて受信された画像データは、画像受信部１１からメモリ１３へ転送され（ステップＳ２７）、転送された画像データはメモリ１３内に格納される（ステップＳ２８）。
【００５５】
一方、通報モードに設定された制御部１９において、回線接続部１７に対してセンタ装置５の呼び出し要求が出力される（ステップＳ２９）。このとき、通報先の電話番号に登録されている番号への接続が要求される。そして、回線接続部１７によって通報装置１とセンタ装置５とが接続され（ステップＳ３０）、接続された旨が制御部１９に通知される。すると、制御部１９によってセンタ装置５が応答したことが検出される（ステップＳ３１）。
【００５６】
そして、制御部１９によって、メモリ１３に格納された画像データが読み出され（ステップＳ３２）、読み出された画像データが制御部１９から回線接続部１７に出力され（ステップＳ３３）、回線接続部１７にて入力された画像データが公衆網４を介してセンタ装置５へ転送される（ステップＳ３４）。このときの画像データの転送方法については、特に限定しない。
【００５７】
回線接続部１７にて画像データの転送が完了したことが確認されると（ステップＳ３５）、その旨が回線接続部１７から制御部１９に対して通知される。すると、制御部１９にて、動作モードが通報モードから通常運用モードに設定される（ステップＳ３６）。
【００５８】
なお、本形態においては、バーコードを使用してシステムデータを登録する場合を例に挙げて説明したが、二次元コードを使用して同様にシステムデータを登録できることは言うまでもない。
【００５９】
また、センサ１４については、上述した赤外線センサ２１、煙センサ２２及び非常ボタン２３に限らない。
【００６０】
また、カメラ３については、通報装置１に内蔵されていても良い。
【００６１】
また、カメラ３に接続されていない通報装置１においては、ＲＳ−２３２Ｃ等のインタフェースを用いてバーコードリーダを接続することにより、接続されたバーコードリーダによって携帯端末２の画面上に表示されたバーコードを読み取り、システムデータが登録されても良い。
【図面の簡単な説明】
【００６２】
【図１】本発明のシステムデータ登録システムの実施の一形態を示す図である。
【図２】図１に示したシステムデータ登録システムにおけるシステムデータ登録方法を説明するためのシーケンス図である。
【図３】図１に示した携帯端末の画面上に表示されたバーコードが示すシステムデータの第１の構成例を示す図である。
【図４】図１に示した携帯端末の画面上に表示されたバーコードが示すシステムデータの第２の構成例を示す図である。
【図５】図１に示したシステムデータ登録システムにおいて図３に示したシステムデータが登録された後の通報装置の処理を説明するためのシーケンス図である。
【図６】通報装置にシステムデータを登録する従来のシステムデータ登録システムを示す図である。
【符号の説明】
【００６３】
１    通報装置
２    携帯端末
３    カメラ
４    公衆網
５    センタ装置
１１    画像受信部
１２    バーコードデコード部
１３    メモリ
１４    センサ
１５    モード切替部
１６    バーコード処理指示部
１７    回線接続部
１８    表示部
１９    制御部
２１    赤外線センサ
２２    煙センサ
２３    非常ボタン
【図１】
2006268261.tif 000003
【図２】
2006268261.tif 000004
【図３】
2006268261.tif 000005
【図４】
2006268261.tif 000006
【図５】
2006268261.tif 000007
【図６】
2006268261.tif 000008